(57)【要約】【課題】軽量熱特性に優れたロータディスクを提供する。【解決手段】ディスクブレーキ等用のロータディスク１は、熱伝導性材料から形成された円形基板２と、基板の両方の外部円形面上に配置された二重の被覆層３および４とを含む。外部層３は、炭素−炭化ケイ素複合材または金属型材料等の熱伝導性が高くかつ耐摩耗性の高い材料から形成される。内部被覆層４は、ジルコニアまたは他のセラミック材等の断熱材から作られる。基板および層の寸法、ならびにそれらを作る材料は、最適性能が得られるように調整することができる。内部層４は、使用中にディスク１の外面に発生する熱および高温から基板を保護するように動作する。【選択図】図１
2005504246.tif 000002
【特許請求の範囲】
【請求項１】
熱伝導性材料から形成された基板と、ディスクの少なくとも一の円形面上の第一被覆層であって、断熱材から形成された第一被覆層と、前記第一被覆層上に重ねられた第二被覆層であって、耐摩耗性の熱伝導性材料から形成された第二被覆層とを有し、それによりディスクの円形表面で発生する熱から基板が保護される複合ロータディスク。
【請求項２】
前記基板が金属である請求項１記載の複合ロータディスク。
【請求項３】
前記金属がアルミ二ウムである請求項１記載の複合ロータディスク。
【請求項４】
前記基板が合金である請求項１記載の複合ロータディスク。
【請求項５】
前記第一被覆層がセラミックである請求項１〜４のいずれか一項に記載の複合ロータディスク。
【請求項６】
前記セラミックがジルコニアである請求項５記載の複合ロータディスク。
【請求項７】
前記第二被覆層が合金である請求項１〜６のいずれか一項に記載の複合ロータディスク。
【請求項８】
前記合金が炭素−炭化ケイ素複合材である請求項７記載の複合ロータディスク。
【請求項９】
前記基板の厚さが５〜４０ミリメートルの範囲内にある請求項１〜８のいずれか一項に記載の複合ロータディスク。
【請求項１０】
前記層の厚さが０．０５〜５．００ミリメートルの範囲内にある請求項１〜９のいずれか一項に記載の複合ロータディスク。
【請求項１１】
前記層の厚さが０．０１〜２．００ミリメートルの範囲内にある請求項１〜９のいずれか一項に記載の複合ロータディスク。
【請求項１２】
前記第一被覆層が０．５ミリメートルの厚さである請求項１〜１１のいずれか一項に記載の複合ロータディスク。
【請求項１３】
前記第二被覆層が１．００ミリメートルの厚さである請求項１〜１２のいずれか一項に記載の複合ロータディスク。
【請求項１４】
前記基板に通気口が設けられている請求項１〜１３のいずれか一項に記載の複合ロータディスク。
【請求項１５】
円筒形外面上に保護被覆を配置する請求項１〜１４のいずれか一項に記載の複合ロータディスク。
【発明の詳細な説明】
【技術分野】
【０００１】
本発明は、ロータディスクに関し、特にディスクブレーキ等に関するが、それらに限定されるものではない。
【背景技術】
【０００２】
伝統的にディスクブレーキは鋳鉄から製造されてきた。鋳鉄は、この目的のために必要な熱特性および強度特性を示す。
【発明の開示】
【発明が解決しようとする課題】
【０００３】
しかし、弱点はその重さである。四つの車輪全部にディスクブレーキを備えた平均的な自動車で、ブレーキのロータディスクは車両の重量を４０ｋｇ増加させる。ブレーキは比較的頻繁には使用されないが、この重量は車両と共に恒常的に運搬され、したがって燃費および排気を増加させる。軽量な材料のディスクの製造が提案されてきたが、これまでのところ充分な解決策はまだ見つかっていない。例えばアルミ二ウムが提案されたが、その熱特性は良好ではあるが、鋳鉄ほど優れていない。これらの劣った熱特性は、ロータディスクとしての材料の性能に悪影響を及ぼす。
【課題を解決するための手段】
【０００４】
本発明では、熱伝導性材料から形成された基板と、ディスクの少なくとも一の円形面上の第一被覆層であって、断熱材から形成された第一被覆層と、前記第一被覆層上に重ねられた第二被覆層であって、耐摩耗性の熱伝導性材料から形成された第二被覆層とを有し、それにより基板をディスクの円形表面に発生する熱から保護する複合ロータディスクを提供する。
【０００５】
本発明の好適な実施形態では、基板はアルミ二ウムまたは他の適切な金属または合金であることが有利である。第一被覆層はジルコニアまたは他のセラミックとすることが有利であろう。第二被覆層は、炭素−炭化ケイ素複合材または他の合金とすることが有利であろう。層および基板の厚さは次の範囲、すなわち層は０．０１ないし２．００ｍｍ、基板は５〜４０ｍｍであることが有利である。
【発明を実施するための最良の形態】
【０００６】
本発明をより明瞭に理解することができるように、以下その実施形態を例示として添付の図面を参照しながら説明する。
【０００７】
図１および２を参照すると、概略的にロータディスクを符号１で示し、円形基板２と、基板の両方の円形外面上に配置された二つの重ねられた被覆層３および４とを備えている。基板は５に通気口が設けられているので、基板中を空気が循環して基板を冷却することができる。基板２は、アルミ二ウムまたは他の適切な金属もしくは合金のような、低密度であるが熱伝導性の高い材料から形成される。外部被覆層３は、炭素−炭化ケイ素複合材料または金属タイプ材料等の熱伝導性が高く、かつ耐摩耗性の高い材料から形成される。内部被覆層４は、ジルコニアまたは他のセラミック材等の断熱材から形成される。
【０００８】
制動条件下で動作中に、ディスク１が回転するので、模式的に６で示すブレーキパッドとロータディスク１との間の摩擦のために、ディスクの両面に熱が発生し、ディスク１の温度が上昇する。熱は伝導、対流、および放射によってディスク１から消失される。伝導によって消失される熱は周囲の空気に、および外部層３の材料を介して内部層４に、およびその層からその下の基板２に移動する。対流によって消失される熱は、通気口５の開口を含めてディスクの全表面に対して相対的に空気が移動するときに、周囲の空気に移動する。放射によって消失される熱は、全ての高温表面から消失される。ロータディスク１内の例示的温度プロファイルを７で示す。ディスクパッド６と外部表面との間の摩擦によって熱が発生する、ディスク１の両方の外部表面温度が最高である。熱は、熱伝導性が高くかつ耐摩耗性が高い材料から形成された外部層３から内部層４へ比較的容易に伝導し、これらの層を通しての温度の低下はそれに相応して小さい。断熱材から作られた内部層４の熱伝導は制限され、外部層に比較して、温度の低下が大きい。したがって、内部層４は、ディスク１の外部表面で発生する熱および高温から基板を保護するように機能する。基板２と内部層４間の界面温度は、外部層および内部層３、４間のそれよりずっと低く、基板内を流れて伝導、対流、および放射によって通気口５に隣接する表面で除去される熱を、基板の材料を介して低下し続ける。
【０００９】
層３および４の厚さは優位には０．０５〜５．００ミリメートルの範囲であり、好ましくは０．０１〜２．００ミリメートルの範囲であり、この実施例では、外部層３が１．０ミリメートルの厚さ、内部層４が０．５ミリメートルの厚さである。基板の厚さは５ないし４０ミリメートルの範囲内である。層および基板の寸法、ならびに層および基板を作る材料を適切に選択することによって、ロータディスクの熱的性質を最適機能性が得られるように効果的に「調整」することができる。
【００１０】
変形例では、基板の層３および４によって被覆されていない全ての領域を酸化防止するために、図３に示すように、円筒形外面上および基板の通気口に隣接して、保護層を配置してもよい。この変形例で、図１および２の実施形態の部分と同等の部分には、同一の符号が付されている。上述した構成では、熱は外部層３の周囲に伝導し、その表面から対流によって消失される。外部層からの熱は内部層４および基板３を通して制御された伝導によっても消散し、かつ基板の通気口５に隣接する表面から伝導によって消失することができる。
【００１１】
通気口のあるディスクについて述べたが、通気口は省くことができる。そのような構成を図４に示す。この図で、図１〜３の部分の均等部分には、同一の符号が付されている。
【００１２】
上記の実施形態は単なる例として記述したものであり、本発明の範囲から逸脱することなく、多くの変化例が可能であることが理解されるであろう。
【図面の簡単な説明】
【００１３】
【図１】本発明に係るロータディスクの一部分を示す断面図である。
【図２】図１のロータディスクの正面図である。
【図３】図１および２のロータディスクの変形例の断面図である。
【図４】図１および２のロータディスクのさらなる変形例の断面図である。
【図１】
2005504246.tif 000003
【図２】
2005504246.tif 000004
【図３】
2005504246.tif 000005
【図４】
2005504246.tif 000006
【国際公開パンフレット】
2005504246.tif 000007
2005504246.tif 000008
2005504246.tif 000009
2005504246.tif 000010
2005504246.tif 000011
2005504246.tif 000012
2005504246.tif 000013
2005504246.tif 000014
2005504246.tif 000015
2005504246.tif 000016
2005504246.tif 000017
2005504246.tif 000018
2005504246.tif 000019
【国際調査報告】
2005504246.tif 000020
2005504246.tif 000021
2005504246.tif 000022